(57)【要約】【課題】  救急現場において吸引チップを濡らすための水と、洗浄のための水とを分離して使用でき、さらに、非作業時の吸引カテーテルを保存しておくことができる容器を提供することを課題とする。【解決手段】  吸引カテーテル洗浄容器として、有底筒体からなる本体部と、本体部内底面から立設される筒体からなる第１槽と、前記第１槽内に貯められる第１液と、本体部内の前記第１槽外部に形成される第２槽に貯められる第２液と、本体部および第１槽の上面を封止する蓋体を設ける。【選択図】  図１
2008212478.tif 000002
【特許請求の範囲】
【請求項１】
有底筒体からなる本体部と、
本体部内底面から立設される筒体からなる第１槽と、
前記第１槽内に貯められる第１液と、
本体部内の前記第１槽外部に形成される第２槽に貯められる第２液と、
本体部および第１槽の上面を封止する蓋体と
を有する吸引カテーテル洗浄容器。
【請求項２】
前記第１槽は、前記本体内壁から離れた位置に立設されるものである請求項１に記載の吸引カテーテル洗浄容器。
【請求項３】
前記本体部上縁近傍もしくは第１槽上縁近傍に、吸引カテーテルの吸引チューブを固定するホルダーが形成される請求項１又は２に記載の吸引カテーテル洗浄容器。
【発明の詳細な説明】
【技術分野】
【０００１】
本発明は救急現場において吸引カテーテルを洗浄等するための容器に関する。
【背景技術】
【０００２】
救急災害現場においては、迅速かつ正確な処置を行うことが極めて重要である。このため、医師・救急隊員が行っている傷病者の気管内、口腔内又は鼻腔内の嘔吐物、粘液及び血液等の吸引に使用する吸引カテーテルの準備に際しても一刻を争う場合が多く、一連の流れが清潔でなおかつ迅速に行われなければならない。救急現場における吸引カテーテルの使用では、吸引チューブが詰まり吸引が困難になった場合、容器に貯めた水を吸引しカテーテル内腔を洗浄した後に再吸引したり、吸引チップの先端で気道粘膜を損傷させないように水を吸引し先端をしっかりと濡らす作業を行う等、作業中に水が必要となる。このために、従来は、吸引カテーテルとともに水の入ったボトルを使用し、これを用いて作業を行っていた。
【発明の開示】
【発明が解決しようとする課題】
【０００３】
しかし、水の入ったボトルでは分離して水を使用することができないので、吸引チップの先端で気道粘膜を損傷させないように水を吸引し先端を濡らす作業にだけ使用されることが多い。
また、吸引チップ及び吸引チューブは非作業時においては、床面に接触させないようにして清潔に操作する必要があるが、従来は、そのための道具などがなく作業に支障をきたしていた。このような場合に吸引チップ及び吸引チューブを洗浄水につけておくことができれば、そのまま作業に取り掛かることができ効率的であると考えられる。
本発明は、このような事情に鑑みて、救急現場において吸引チップを濡らすための水と、洗浄のための水とを分離して使用でき、さらに、非作業時の吸引カテーテルを保存しておくことができる容器を提供することを課題とする。
【課題を解決するための手段】
【０００４】
上記課題を解決するために、本発明は次のような構成を有する。
請求項１に記載の発明は、有底筒体からなる本体部と、本体部内底面から立設される筒体からなる第１槽と、前記第１槽内に貯められる第１液と、本体部内の前記第１槽外部に形成される第２槽に貯められる第２液と、本体部および第１槽の上面を封止する蓋体と
を有する吸引カテーテル洗浄容器である。
請求項２に記載の発明は、前記吸引カテーテル洗浄容器において、前記第１槽は、前記本体内壁から離れた位置に立設されるものである。
請求項３に記載の発明は、前記吸引カテーテル洗浄容器において、前記本体部上縁近傍もしくは第１槽上縁近傍に、吸引カテーテルの吸引チューブを固定するホルダーが形成されるものである。
【発明の効果】
【０００５】
請求項１に記載の発明は、第1液及び第２液が蓋体により第1槽内及び第２槽内に封止された状態で携帯することができ、現場において蓋体を取ることで、第１槽の第１液と第２槽の第２液のいずれか一方を吸引チップを濡らすために使用し、いずれか他方を洗浄用に分離して使用できる。また、洗浄用の液には、非作業時の吸引カテーテルを漬けて保存しておくこともできる。
請求項２に記載の発明は、第１槽を本体内部の内壁から離すことで、第２槽は第１槽の回りにリング状に形成されることとなるので、長い吸引チューブを巻いて第２槽内に保存することができる。
請求項３に記載の発明は、本体部の上縁部もしくは第１槽の上縁部に吸引カテーテルの吸引チューブを固定するホルダーを設けることで、吸引カテーテルを第１槽もしくは第２槽内に保存する際に、吸引カテーテルの基端部を上縁より上に位置するように吸引チューブをホルダーにより保持することで再び使用する際に取出しやすくなり作業性が向上するとともに、保存中の吸引カテーテルをしっかりと保持することができる。
【発明を実施するための最良の形態】
【０００６】
以下、本発明の実施の形態について、図面を参照しながら説明する。
図１に本実施形態に係る吸引カテーテル洗浄容器Ｘの斜視図を示し、図２に吸引カテーテル洗浄容器Ｘの縦断面図を示す。吸引カテーテル洗浄容器Ｘは、有底円筒状の本体部１０と、本体部１０の内部底面中央に立設される本体部１０よりも外径の小さな円筒体からなる第１槽２０と、本体部１０の上縁部に係合する扁平な円筒体からなるチューブホルダー部３０と、チューブホルダー部３０の上縁及び第１槽２０の上縁を封止する薄いシート体からなる蓋体４０とから構成される。
本体部１０及び第１槽２０とは合成樹脂により一体に形成されており、本体部１０の内壁と第１槽２０との間の空間が第２槽１１を形成する。第１槽２０の上縁は本体部１０の上縁よりやや高く形成され、本体部１０に係合するチューブホルダー部３０の縁部の上縁とほぼ一致するように設定される。第１槽２０及び第２槽１１内部には、清潔な水が第１槽２０は満水、第２槽１１は約４分の３程度入れられている。
チューブホルダー部３０は内壁が本体部１０に係合する大きさを有する扁平な円筒体の中央位置に外方及び内方に向って張り出すフランジが形成されている。そして内方に張り出すフランジには吸引カテーテルの吸引チューブを保持する切り欠きである吸引チューブ保持部３１、３２が３つずつ対象に形成されている。吸引チューブ保持部３１、３２は切り欠きの奥側に所定の太さの吸引チューブの外周に嵌合して接する円弧状のふくらみが形成されている。吸引チューブ保持部３１と吸引チューブ保持部３２は対象となる吸引チューブの太さが異なるものであり、２種類の大きさの吸引チューブを保持できるようになっている。
蓋体４０は合成樹脂製もしくはアルミ製のシートによりチューブホルダー部３０の上縁とほぼ一致する円形に形成されるものであり、接着剤によりチューブホルダー部３０の上縁及び第１槽２０の上縁に固定される。蓋体４０の外縁の一部には剥がしやすいように舌部４１が形成されている。
【０００７】
次に、以上のような構成を有する吸引カテーテル洗浄容器Ｘの使用方法について説明する。まず、最初に救急現場において吸引カテーテル洗浄容器Ｘを適当な位置に載置して、蓋体４０を剥がして第１槽２０、第２槽１１の上方を開放する。次に、図３に示すように吸引カテーテルＡの先端を第１槽内の水に付けて吸引チップを濡らして、対象者の口腔等へ吸引カテーテルを挿入し作業を行う。また、吸引カテーテルＡ内が詰まった場合などには、第２槽１１内の水を吸い込み内部を洗浄する。そして、吸引カテーテルＡの使用を一時中断する場合には、図４に示すように吸引カテーテルＡを第２槽１１内に巻いて第２槽１１内の水に漬けるように保存する。この際、図に示すように吸引カテーテルＡの基端近傍の吸引チューブ外周をチューブホルダー部３０の吸引チューブ保持部３１もしくは吸引チューブ保持部３２に係合固定しておく。このようにすることで、再び使用するときに、基端を水に漬けることなく、直ぐに基端部を見つけることができ作業性が高めることができる。
なお、吸引カテーテル洗浄容器Ｘの使用に際しては、図５に示すように本体部１０の底部に係合する内周面を持つ、重量のある円筒体である台座５０を係合させるようにすれば、作業時に転倒することを抑制することができる。
【図面の簡単な説明】
【０００８】
【図１】実施形態に係る吸引カテーテル洗浄容器の斜視図である。
【図２】実施形態に係る吸引カテーテル洗浄容器の縦断面図である。
【図３】実施形態に係る吸引カテーテル洗浄容器の第１槽に吸引カテーテル先端を漬けた状態を示す斜視図である。
【図４】実施形態に係る吸引カテーテル洗浄容器の第２槽に吸引カテーテルを保存した状態を示す斜視図である。
【図５】実施形態に係る吸引カテーテル洗浄容器に台座を係合させた状態を示す斜視図である。
【符号の説明】
【０００９】
Ｘ  吸引カテーテル洗浄容器
Ａ  吸引カテーテル
１０  本体部
１１  第２槽
２０  第１槽
３０  チューブホルダー部
３１、３２  吸引チューブ保持部
４０  蓋体
５０  台座
【図１】
2008212478.tif 000003
【図２】
2008212478.tif 000004
【図３】
2008212478.tif 000005
【図４】
2008212478.tif 000006
【図５】
2008212478.tif 000007